(57)【要約】【課題】透光部材にがたつきが生じないように固定する。【解決手段】フラッシュ発光部１０の発光ユニット２１を構成する保持部材３０の先端側の上下端縁に、弾性片３４を一対ずる形成する。各弾性片３４の先端には、前面側に向けて突出する突部３４ａを形成する。発光ユニット２１を透光部材１１の凹部１１ａに挿入すると、弾性片３４の弾性力によって突部３４ａが透光部材１１の背面を押圧し、透光部材１１をカメラボディの前面を構成する前面パネルの内面に押し付ける。これにより、透光部材１１にがたつきが生じるのが防止される。【選択図】図３
2008242128.tif 000002
【特許請求の範囲】
【請求項１】
カメラボディを構成する前面パネルに形成されたフラッシュ開口に内側から対面される透光部材と、
前記透光部材の背後に配置されて発光する放電管と、前記放電管の略外周に配置されて前記放電管から放射された光を前記透光部材に向けて反射する反射部材と、前記放電管及び反射部材を保持する保持部材を有する発光ユニットと、
前記発光ユニットに設けられ、前記透光部材の背面を押圧して前記前面パネルの内面に押し付ける押圧手段を備えることを特徴とするカメラのフラッシュ発光部。
【請求項２】
前記押圧手段は、前記保持部材に一体に設けられて前記透光部材の背面を押圧する弾性片であることを特徴とする請求項１記載のカメラのフラッシュ発光部。
【請求項３】
前記押圧手段は、前記保持部材が取り付けられ、前記保持部材を前記透光部材の背面に押し付ける弾性を有する基板であることを特徴とする請求項１記載のカメラのフラッシュ発光部。
【請求項４】
前記基板は、前記保持部材が取り付けられる部位の周囲にスリットが形成されて弾性が付与されていることを特徴とする請求項３記載のカメラのフラッシュ発光部。
【請求項５】
前記押圧手段は、前記カメラボディの前後方向で移動自在とされた前記反射部材と、
前記反射部材を介して前記透光部材を押圧する弾性部材を有することを特徴とする請求項１記載のカメラのフラッシュ発光部。
【請求項６】
前記弾性部材は、金属板によって形成され、トリガ電圧を発生するトリガコイルと前記反射部材とを導通させるトリガ電極であることを特徴とする請求項５記載のカメラのフラッシュ発光部。
【請求項７】
前記押圧手段は、前記反射部材に一体に設けられて前記透光部材の背面を押圧する弾性片であることを特徴とする請求項１記載のカメラのフラッシュ発光部。
【請求項８】
カメラボディを構成する前面パネルに形成されたフラッシュ開口に内側から対面される透光部材と、
前記透光部材の背後に配置されて発光する発光ユニットと、
前記前面パネルと前記透光部材の間に配置されて前記透光部材を前記発光ユニットに押し付ける押圧手段を備えることを特徴とするカメラのフラッシュ発光部。
【請求項９】
前記押圧手段は、前記透光部材に一体に設けられて前記前面パネルの内面に当接する弾性片であることを特徴とする請求項８記載のカメラのフラッシュ発光部。
【請求項１０】
前記押圧手段は、前記前面パネルと前記透光部材との間に配置される板バネであることを特徴とする請求項８記載のカメラのフラッシュ発光部。
【請求項１１】
カメラボディを構成する前面パネルに形成されたフラッシュ開口に内側から対面される透光部材と、
前記透光部材の背後に配置されて発光する発光ユニットと、
前記前面パネルと、前記カメラボディの背面を構成する背面パネルの間に配置されて前記カメラボディの外周面を構成する中間パネルに設けられ、前記透光部材の背面を押圧して前記前面パネルの内面に押し付ける押圧手段を備えることを特徴とするカメラのフラッシュ発光部。
【発明の詳細な説明】
【技術分野】
【０００１】
本発明は、カメラボディの前面パネルに形成されたフラッシュ開口に内側から対面される透光部材を有するカメラのフラッシュ発光部に関する。
【背景技術】
【０００２】
コンパクト型デジタルカメラには、外観品質向上、精密機器としての製品イメージ向上等のため、外装パネルに金属を使用するものが多い。金属製の外装パネルは、軽量化、コスト等の面から板金プレスによって加工されるので、各種内蔵部品を取り付けるためのボスやピン等を設けることはできない。また、外観品質が低下するので、後加工でボスやピンを設けることもできない。そのため、金属製の外装パネルを用いるカメラでは、外装パネルの内側に位置決め用のボスやピン等が設けられたインナーキャビネットを組み込み、このインナーキャビネットに各種内蔵部品及び外装パネルを固定している。
【０００３】
カメラのフラッシュ発光部は、例えば、前面パネルに形成されたフラッシュ開口に内側から対面される透光部材と、透光部材の背後に配置されて発光する放電管と、放電管の略外周に配置され、放電管から放射された光を透光部材に向けて反射する反射部材と、放電管及び反射部材を保持する保持部材から構成されている。前面パネルは、カメラボディの前面を構成する外装パネルである。透光部材は、例えば透明なプラスチックで形成されており、放電管から放射した光を配光する機能を有している。金属製の前面パネルを用いるデジタルカメラでは、透光部材を前面パネルとインナーキャビネットの間に挟み込むことで透光部材のがたつきを防止している。
【０００４】
デジタルカメラの薄型化向上及びコスト低減を目的として、インナーキャビネットを省略することが検討されている。この場合、透光部材が前面パネルに対してがたつくことなく固定される手法を考える必要がある。
【０００５】
透光部材と反射部材の間を位置決めする手法として、例えば、特許文献１記載の発明では、透光部材の背面に形成された突条と保持部材との間に反射部材の端縁を挟み込むことで、透光部材に対して反射部材を位置決めしている。また、特許文献２記載の発明では、透光部材の背面に円柱状の放電管の外周面が当接するＶ字型の溝を形成し、放電管を反射部材で押圧することによって、透光部材と放電管、及び反射部材が位置決めされる。
【特許文献１】特開平１１−１７４５３７号公報
【特許文献２】特開２０００−２５０１０５号公報
【発明の開示】
【発明が解決しようとする課題】
【０００６】
しかし、特許文献１及び２記載の発明では、透光部材と反射部材の間の位置精度は向上するものの、前面パネルに対する透光部材の位置決めを行なうことができないため、前面パネルとの間で透光部材にがたつきが生じるという問題がある。
【０００７】
本発明は、上記問題を解決するために、前面パネルに対して透光部材にがたつきが生じないように固定できるようにしたカメラのフラッシュ発光部を提供する。
【課題を解決するための手段】
【０００８】
上記課題を解決するために本発明のカメラのフラッシュ発光部は、カメラボディを構成する前面パネルに形成されたフラッシュ開口に内側から対面される透光部材と、透光部材の背後に配置されて発光する放電管と、放電管の略外周に配置されて放電管から放射された光を透光部材に向けて反射する反射部材と、放電管及び反射部材を保持する保持部材と、発光ユニットに設けられ、透光部材の背面を押圧して前面パネルの内面に押し付ける押圧手段から構成したものである。
【０００９】
また、押圧手段として、保持部材に一体に設けられて透光部材の背面を押圧する弾性片を用いるものである。
【００１０】
また、別の押圧手段として、保持部材が取り付けられ、保持部材を透光部材の背面に押し付ける弾性を有する基板を用いるものである。また、基板には、保持部材が取り付けられる部位の周囲にスリットを形成することで弾性を付与するものである。
【００１１】
更にまた別の押圧手段は、カメラボディの前後方向で移動自在とされた透光部材と、反射部材を介して透光部材を押圧する弾性部材から構成するものである。弾性部材としては、金属板によって形成され、トリガ電圧を発生するトリガコイルと反射部材とを導通させるトリガ電極を用いるものである。
【００１２】
また別の押圧手段は、反射部材に一体に設けられて透光部材の背面を押圧する弾性片を用いるものである。
【００１３】
また、本発明の別のフラッシュ発光部は、カメラボディを構成する前面パネルに形成されたフラッシュ開口に内側から対面される透光部材と、透光部材の背後に配置されて発光する発光ユニットと、前面パネルと透光部材の間に配置されて透光部材を発光ユニットに押し付ける押圧手段から構成したものである。
【００１４】
押圧手段としては、透光部材に一体に設けられて前面パネルの内面に当接する弾性片、あるいは前面パネルと透光部材との間に配置される板バネを用いるものである。
【００１５】
更にまた別のフラッシュ発光部は、カメラボディを構成する前面パネルに形成されたフラッシュ開口に内側から対面される透光部材と、透光部材の背後に配置されて発光する発光ユニットと、前面パネルとカメラボディの背面を構成する背面パネルの間に配置されてカメラボディの外周面を構成する中間パネルに設けられ、透光部材の背面を押圧して前面パネルの内面に押し付ける押圧手段から構成したものである。
【発明の効果】
【００１６】
本発明のフラッシュ発光部によれば、発光ユニットに設けられた押圧手段で透光部材を前面パネルの内面に押し付けるようにしたので、透光部材のがたつきを防止することができる。また、発光ユニットと構成する保持部材、基板、トリガ電極、反射部材等で押圧手段を構成するので、部品点数や組立工数の増加がなく、ローコストに採用することができる。
【００１７】
また、前面パネルと透光部材の間に配置した押圧手段で透光部材を押圧し、発光ユニットに押し付けるフラッシュ発光部によれば、透光部材のがたつきを防止するとともに、透光部材と発光ユニットとの間の位置精度及び配光精度を向上させることができる。
【００１８】
更にまた、中間パネルに設けられた押圧手段で透光部材を押圧するフラッシュ発光部によれば、透光部材のがたつきを防止することができる。また、部品点数や組立工数の増加がなく、ローコストに採用することができる。
【発明を実施するための最良の形態】
【００１９】
図１に示す本発明のデジタルカメラ２は、前面パネル３及び背面パネル４によってカメラボディ５が構成されている。前面パネル３の前面中央には、鏡筒開口６が形成されており、略円柱形状のレンズ鏡筒７が突出及び沈胴される。図２に示すように、この鏡筒開口６は、レンズ鏡筒７が沈胴されたときにレンズバリア８によって塞がれる。また、前面パネル３の前面上部には、矩形のフラッシュ開口９が形成されており、フラッシュ発光部１０を構成する透光部材１１が内側から嵌合されている。
【００２０】
カメラボディ５の上面には、電源操作に用いる電源ボタン１４、撮影操作に用いるレリーズボタン１５が設けられている。また、カメラボディ５の下面には、電池が収納される電池室とメモリカードがセットされるカードコネクタの挿入口が設けられており、これらの挿入口は、カメラボディ５に開閉自在に取り付けられた底蓋１６によって保護されている。
【００２１】
図２に示すように、前面パネル３と背面パネル４の間には、デジタルカメラ２の各部を制御する制御回路及びフラッシュ回路等が設けられたメイン基板２０が組みこまれている。メイン基板２０の前面には、レンズ鏡筒７と、フラッシュ発光部１０を構成する発光ユニット２１と、電池室２２及びカードコネクタ２３が取り付けられている。また、メイン基板２０の背面には、撮影画像が表示されるＬＣＤパネル２４や各種操作スイッチが取り付けられており、これらは背面パネル４に形成された開口２５等から外部に露呈される。
【００２２】
図３及び図４に示すように、発光ユニット２１は、フラッシュ発光を行なう放電管２８と、放電管２８の略外周に配置されてフラッシュ光を透光部材１１に向けて反射する反射部材である反射傘２９と、この反射傘２９と放電管２８とを保持する保持部材３０から構成されている。なお、詳しくは図示しないが、放電管２８の両端は、配線によってメイン基板２０のフラッシュ回路に接続されている。
【００２３】
反射傘２９は、表面に反射率の高いメッキ処理が施された金属薄板からなり、放電管２８の外周に沿い、かつ透光部材１１に対面する側が開口されるように略傘状に屈曲されている。反射傘２９の両側面２９ａには、放電管２８が挿入される開口２９ｂが形成されている。
【００２４】
保持部材３０は、弾性を有するプラスチックを用いて略ブロック状に形成されており、背面側に設けられた３辺の脚部３０ａ〜３０ｃによってメイン基板２０に固定されている。保持部材３０の前面側には、反射傘２９が収納される凹状の反射傘収納部３３が設けられている。この反射傘収納部３３の上下端縁３３ａには、反射傘２９の上下端縁２９ｃに設けられた切欠２９ｄに係合して反射傘２９を固定する突起３３ｂが設けられている。また、上下端縁３３ａの両側方には、前面側に向かって突出された突部３４ａを端部に有し、前後方向で弾性変形自在とされた弾性片３４が設けられている。
【００２５】
脚部３０ａ〜３０ｃと反射傘収納部３３との間には、トリガ電極３７が挿通される切欠３８及び開口３９（図５参照）が形成されている。トリガ電極３７は導電性を有する金属薄板で形成されており、メイン基板２０に取り付けられたトリガコイル４２と反射傘２９との間を接続して、放電管２８にフラッシュ発光を開始させるトリガ信号を入力する。
【００２６】
透光部材１１は、透明なプラスチックで略箱状に形成されており、前面にフラッシュ光を配光する配光部４５が設けられている。配光部４５は、透光部材１１から前面側に突出するように形成されており、前面パネル３に形成されたフラッシュ開口９に内側から嵌合される。
【００２７】
図５に示すように、発光ユニット２１は透光部材１１の凹部１１ａに背後から挿入され、突部３４ａが各弾性片３４の弾性力によって透光部材１１の背面１１ｂを押圧する。これにより、透光部材１１の配光部４５の外周が前面パネル３の内面に押し付けられるので、前面パネル３と透光部材１１の間のがたつきを防止することができる。
【００２８】
なお、上記実施形態では、保持部材３０に設けられた弾性片３４により透光部材１１の背面１１ｂを押圧したが、保持部材３０全体で透光部材１１を押圧してもよい。この場合、図６に示すように、メイン基板２０の保持部材３０が取り付けられる保持部材取付部２０ａの近傍にスリット２０ｂを形成し、保持部材取付部２０ａに弾性を付与する。これにより、保持部材取付部２０ａの弾性によって配光部４５の外周が前面パネル３の内面に押し付けられるので、前面パネル３と透光部材１１の間のがたつきを防止することができる。
【００２９】
また、上記各実施形態では、保持部材３０によって透光部材１１の背面１１ｂを押圧したが、反射傘２９により透光部材１１を押圧してもよい。この場合、図７に示すように、反射傘２９の切欠２９ｄを後方に広げて保持部材３０の突起３３ｂに対する隙間を形成し、反射傘２９を前方に移動できるようにする。また、トリガ電極５０の幅や厚みを大きくし、かつ複数箇所で屈曲させ、このトリガ電極５０の弾性で反射傘２９を前方に押圧する。これにより、トリガ電極５０の弾性によって配光部４５の外周が前面パネル３の内面に押し付けられるので、前面パネル３と透光部材１１の間のがたつきを防止することができる。なお、トリガ電極５０で反射傘２９を押圧したが、保持部材３０に弾性片を設けてもよいし、専用の弾性部材を設けてもよい。
【００３０】
また、図８に示すように、反射傘２９の上下端縁２９ｃを上方及び下方に突出させ、その両側方に透光部材１１の背面１１ｂを押圧する弾性片５５を一体に設けてもよい。これにより、弾性片５５の押圧によって配光部４５の外周が前面パネル３の内面に押し付けられるので、前面パネル３と透光部材１１の間のがたつきを防止することができる。なお、反射傘２９は薄い金属板を使用するため、弾性片５５のバネストロークは、反射傘２９に用いる材質の降伏応力を超えない範囲にすることが好ましい。
【００３１】
また、上記各実施形態では、発光ユニット２１で透光部材１１の背面を押圧し、前面パネル３と透光部材１１の間のがたつきを防止したが、前面パネル３側から透光部材１１を背後に押圧し、透光部材１１の背面を発光ユニット２１に押し付けてもよい。図９に示すように、透光部材６０の前面側の上下端縁６０ａにそれぞれ一対の弾性片６１を形成し、各弾性片６１の端部に前方に向けて突出された突部６１ａを設けている。また、弾性片６１に弾性を付与するために、透光部材６０には、ポリカーボネート等の弾性を有する透明なプラスチックを使用する。
【００３２】
図１０に示すように、発光ユニット２１が透光部材６０の凹部６０ｂに背後から挿入されると、保持部材３０の先端が透光部材６０の背面６０ｃに当接する。透光部材６０の突部６１ａは、弾性片６１の弾性によって前面パネル３の内面に押し付けられる。これにより、前面パネル３と透光部材１１の間のがたつきが防止される。また、透光部材６０と反射傘２９との位置関係が一定になるので、配光精度が向上する。
【００３３】
なお、上記実施形態では、弾性片６１により透光部材６０を背後に押圧したが、図１１に示すように、金属またはプラスチックによって形成され、外周に複数個の弾性片６５ａが設けられた板バネ６５を前面パネル３と透光部材１１との間に挟み込んでも同様の作用効果を得ることができる。板バネ６５を用いることにより、上記の弾性片６１を用いる場合よりも透光部材１１の押圧力が安定するので、配光精度が向上する。
【００３４】
また、図１２及び１３に示すように、奥行き方向の厚みが小さくされた前面パネル７０及び背面パネル７１の間に、プラスチック等の異なる材質で形成された中間パネル７２を挟み込むことでデザイン性を向上させたデジタルカメラ７３がある。このようなデジタルカメラ７３の場合、中間パネル７２を利用して透光部材１１を前面パネル７０に押し付けてもよい。
【００３５】
図１４に示すように、中間パネル７２の前面側の上部端縁７５に透光部材１１の背面１１ｃの上部を押圧する突起７６を形成し、この突起７６が形成された上部端縁７５の背後にスリット７７を形成して弾性を付与する。また、上部端縁７５から下方に向けて弾性片７８を突出させ、これらの弾性片７８の端部に背面１１ｃの下部を押圧する突起７８ａを形成する。図１５に示すように、中間パネル７２の各突起７６，７８ａは、スリット７７及び弾性片７８の弾性によって透光部材１１の背面１１ｃを押圧するので、配光部４５の外周が前面パネル７０の内面に押し付けられ、透光部材１１のがたつきを防止することができる。なお、中間パネル７２に金属を用いる場合であっても、弾性片や突起等の簡単な構造物なので容易に形成することができる。
【００３６】
なお、上記各実施形態は、デジタルカメラを例に説明したが、本発明は、写真フイルムを使用する銀塩カメラや、ビデオカメラ等のフラッシュ発光部にも用いることができる。また、透光部材を押圧する各手段を個別に説明したが、組み合わせて用いることも可能である。
【図面の簡単な説明】
【００３７】
【図１】本発明のデジタルカメラの外観斜視図である。
【図２】デジタルカメラの構成を示す分解斜視図である。
【図３】第１の実施形態のフラッシュ発光部の構成を示す分解斜視図である。
【図４】発光ユニットの構成を示す分解斜視図である。
【図５】フラッシュ発光部の横方向断面図である。
【図６】第２の実施形態のフラッシュ発光部の構成を示す分解斜視図である。
【図７】第３の実施形態のフラッシュ発光部の構成を示す横方向断面図である。
【図８】第４の実施形態のフラッシュ発光部の発光ユニットの構成を示す分解斜視図である。
【図９】第５の実施形態のフラッシュ発光部の構成を示す分解斜視図である。
【図１０】第５の実施形態のフラッシュ発光部の構成を示す横方向断面図である。
【図１１】第６の実施形態のフラッシュ発光部の構成を示す分解斜視図である。
【図１２】第７の実施形態のフラッシュ発光部を用いたデジタルカメラの外観斜視図である。
【図１３】第７の実施形態のフラッシュ発光部を用いたデジタルカメラの分解斜視図である。
【図１４】中間パネルによる透光部材の押圧状態を示す斜視図である。
【図１５】第７の実施形態のフラッシュ発光部の構成を示す縦方向断面図である。
【符号の説明】
【００３８】
２，７３  デジタルカメラ
３，７０  前面パネル
４，７１  背面パネル
５  カメラボディ
９  フラッシュ開口
１０  フラッシュ発光部
１１，６０  透光部材
２０  メイン基板
２０ａ  保持部材取付部
２０ｂ  スリット
２１  発光ユニット
２８  放電管
２９  反射傘
３０  保持部材
３４，５５，６１，６５ａ，７８  弾性片
３４ａ，６１ａ  突部
３７，５０  トリガ電極
４２  トリガコイル
６５  板バネ
７２  中間パネル
７６，７８ａ  突起
【図１】
2008242128.tif 000003
【図２】
2008242128.tif 000004
【図３】
2008242128.tif 000005
【図４】
2008242128.tif 000006
【図５】
2008242128.tif 000007
【図６】
2008242128.tif 000008
【図７】
2008242128.tif 000009
【図８】
2008242128.tif 000010
【図９】
2008242128.tif 000011
【図１０】
2008242128.tif 000012
【図１１】
2008242128.tif 000013
【図１２】
2008242128.tif 000014
【図１３】
2008242128.tif 000015
【図１４】
2008242128.tif 000016
【図１５】
2008242128.tif 000017